(57)【特許請求の範囲】
【請求項１】
構造体の取付面に固定される固定部材と、
前記取付面に対して平行となる方向にスライド可能に前記固定部材に連結される基端部と、前記基端部に設けられて前記取付面に対して直交する方向に突出する先端部と、を備える支持アームと、
前記支持アームの先端部に配設され、プロジェクタを支持することにより前記プロジェクタを前記支持アームに連結する連結部材と、を具備するプロジェクタ支持装置であって、
前記固定部材には、前記支持アームの基端部のスライド方向に軸心方向を向けた支持軸が配設され、
前記支持アームの基端部には、ガイド孔が開口され、
前記ガイド孔に前記支持軸が挿通されることによって、前記支持アームが前記固定部材に対してスライド可能に連結され、
前記固定部材には、前記支持軸と平行に、その外周面に雄ねじ部が形成された位置調節軸が回動可能に配設され、
前記支持アームの基端部には、ナット固定部が形成され、
前記ナット固定部には、その内周面に雌ねじ部が形成されたナットが固定され、
前記ナットは、前記支持アーム内に位置し、
前記ナットの雌ねじ部に前記位置調節軸の雄ねじ部が螺入され、前記位置調節軸を回動させることによって、前記支持アームの前記固定部材における位置が調節され、
前記固定部材は、前記支持アームが突出する側を被覆するカバー部材を備え、
前記カバー部材には、開口部が形成され、
前記支持アームは、前記開口部から突出するように配設され、
前記支持アームの基端部には、前記開口部を内側から塞ぐカバー板が配設される、
プロジェクタ支持装置。
【請求項２】
前記支持軸は、平行となるように複数本配設され、
前記位置調節軸は、前記複数本の支持軸の間に配設される、
請求項１に記載のプロジェクタ支持装置。
【発明の詳細な説明】
【技術分野】
【０００１】
本発明は、プロジェクタを壁や柱等の構造体に取付けるためのプロジェクタ支持装置の技術に関する。
【背景技術】
【０００２】
従来、壁や柱等の構造体に設置されるプロジェクタ支持装置に関する技術は公知である（例えば、特許文献１及び特許文献２を参照）。これらのプロジェクタ支持装置は、構造体の取付面に固定される固定部材と、構造体の取付面に対して直交する方向に突出する支持アームと、プロジェクタを支持アームに支持可能に連結する連結部材と、を具備する。そして、支持アームは取付面に対して平行となる方向にスライド可能に、固定部材に連結されている。
【先行技術文献】
【特許文献】
【０００３】
【特許文献１】特開２０１３−４４８５３号公報
【特許文献２】特開２０１２−２２６１９７号公報
【発明の概要】
【発明が解決しようとする課題】
【０００４】
上記の如く構成された従来のプロジェクタ支持装置においては、支持アームの基端部側に、固定部材と略平行となる板面を有する箱型部材を設け、この箱型部材と固定部材とをスライドさせることにより、支持アームを固定部材に対してスライドさせる構成としていた。
【０００５】
しかし、上記の構成によれば、箱型部材によってプロジェクタ支持装置の重量が大きくなる。また、箱型部材において板状部材がスライドする幅を確保する必要があるため、プロジェクタ支持装置をコンパクト化することが難しかった。さらに、箱型部材を支持アームの基端部に溶接する必要があるため、支持アームと固定部材との間でガタが生じやすかった。
【０００６】
本発明は以上の如き問題を解決するものであり、支持アームと固定部材との間でガタが生じ難いとともに、コンパクト化及び軽量化の可能なプロジェクタ支持装置を提供する。
【課題を解決するための手段】
【０００７】
本発明の解決しようとする課題は以上の如くであり、次にこの課題を解決するための手段を説明する。
【０００８】
即ち、請求項１においては、構造体の取付面に固定される固定部材と、前記取付面に対して平行となる方向にスライド可能に前記固定部材に連結される基端部と、前記基端部に設けられて前記取付面に対して直交する方向に突出する先端部と、を備える支持アームと、前記支持アームの先端部に配設され、プロジェクタを支持することにより前記プロジェクタを前記支持アームに連結する連結部材と、を具備するプロジェクタ支持装置であって、前記固定部材には、前記支持アームの基端部のスライド方向に軸心方向を向けた支持軸が配設され、前記支持アームの基端部には、ガイド孔が開口され、前記ガイド孔に前記支持軸が挿通されることによって、前記支持アームが前記固定部材に対してスライド可能に連結され、前記固定部材には、前記支持軸と平行に、その外周面に雄ねじ部が形成された位置調節軸が回動可能に配設され、前記支持アームの基端部には、ナット固定部が形成され、前記ナット固定部には、その内周面に雌ねじ部が形成されたナットが固定され、前記ナットは、前記支持アーム内に位置し、前記ナットの雌ねじ部に前記位置調節軸の雄ねじ部が螺入され、前記位置調節軸を回動させることによって、前記支持アームの前記固定部材における位置が調節され、前記固定部材は、前記支持アームが突出する側を被覆するカバー部材を備え、前記カバー部材には、開口部が形成され、前記支持アームは、前記開口部から突出するように配設され、前記支持アームの基端部には、前記開口部を内側から塞ぐカバー板が配設されるものである。
【０００９】
請求項２においては、前記支持軸は、平行となるように複数本配設され、前記位置調節軸は、前記複数本の支持軸の間に配設されるものである。
【発明の効果】
【００１０】
本発明に係るプロジェクタ支持装置は、支持アームと固定部材との間でガタが生じ難くなるとともに、コンパクト化及び軽量化が可能となる、という効果を奏する。
【図面の簡単な説明】
【００１１】
【図１】プロジェクタ支持装置の斜視図。
【図２】プロジェクタ支持装置の正面図。
【図３】（ａ）及び（ｂ）はそれぞれ、プロジェクタ支持装置の左側面図及び右側面図。
【図４】プロジェクタ支持装置の平面図。
【図５】支持アームと固定部材の連結部分を示した図。
【図６】支持アームと固定部材の連結部分においてカバー板を外した図。
【図７】位置調整軸とナットとの位置関係を示した図。
【発明を実施するための形態】
【００１２】
以下では、図１から図４を用いて本発明に係るプロジェクタ支持装置の一実施形態であるプロジェクタ支持装置１００について説明する。なお、以下の説明においては、各図に示した矢印でプロジェクタ支持装置１００の方向を規定する。即ち、本実施形態においてプロジェクタ支持装置１００は、壁等の構造体において上下方向及び左右方向に広がる取付面２に固定されて、取付面２に対して直交する方向である前方に突出して配設される。
【００１３】
プロジェクタ支持装置１００はプロジェクタ１を支持する装置であり、後端部が取付面２に固定され、前端部でプロジェクタ１を支持する。プロジェクタ１はいわゆる映写機であり、壁面、スクリーン等に画像を映写する装置である。プロジェクタ１はプロジェクタ支持装置１００により支持される。
【００１４】
図１から図４に示すように、プロジェクタ支持装置１００は、主に、固定部材１０と、支持アーム２０と、連結部材３０と、から構成されている。
【００１５】
固定部材１０は内部空間を有する箱状の部材であり、後側の一端面が取付面２に固定されている。固定部材１０は、ベース部材１１と、ベース部材１１における支持アーム２０が突出する側である前側を被覆するカバー部材１２と、を具備する。
【００１６】
ベース部材１１は固定部材１０の一部分を形成する板状の部材であり、取付面２に固定される。本実施形態では図５から図７に示す如く、ベース部材１１は金属板を適宜折り曲げることにより成形された三枚のベース板１１ａ・１１ｂ・１１ｃを組合わせて形成されている。
【００１７】
カバー部材１２はベース部材１１を被覆する板状の部材である。本実施形態では図１及び図２に示す如く、カバー部材１２は左カバー１２ａと右カバー１２ｂとで形成されており、それぞれのカバー１２ａ・１２ｂが左右からベース部材１１を被覆している。カバー部材１２でベース部材１１を被覆した際に、上面に形成される隙間はケーブル通し穴として機能する。カバー部材１２には左右方向の中央部分に支持アーム２０を挿通する開口部１２ｈが形成されている。
【００１８】
図１から図４に示すように、支持アーム２０は、前後方向に長く、上下方向が左右方向に比べて短い平板形状の部材である。支持アーム２０は基端部２１と先端部２２とを備える。基端部２１は取付面２に対して平行となる上下方向にスライド可能に固定部材１０に連結される。先端部２２は基端部２１に設けられるとともに取付面２に対して直交する前後方向に突出して配設される。
【００１９】
先端部２２はスライドすることにより基端部２１に対して進退可能に構成されている。具体的には基端部２１の側面にスライド溝２１ａが形成されており、スライド溝２１ａを通って先端部２２の側面にピン２２ａが挿入されている。そして、先端部２２は固定部材１０の側に近接することにより、基端部２１に収容された状態となる。また、先端部２２は固定部材１０から離間することにより、基端部２１から延出された状態となる。即ち、支持アーム２０は先端部２２が基端部２１に対して収容され、又は延出されることにより伸縮可能に構成されている。
【００２０】
図１から図４に示すように、連結部材３０は支持アーム２０の先端部２２に配設される。そして、連結部材３０がプロジェクタ１を支持することにより、プロジェクタ１を支持アーム２０に連結する。これにより、プロジェクタ１はプロジェクタ支持装置１００の連結部材３０、支持アーム２０、及び固定部材１０を介して取付面２に取付けられるのである。
【００２１】
連結部材３０は、アーム連結部３１、プロジェクタ連結部３２、上下軸調整ネジ３３、前後軸調整ネジ３４、左右軸調整ネジ３５等を備える。アーム連結部３１は支持アーム２０の先端部２２と連結される。プロジェクタ連結部３２はプロジェクタ１と連結される。プロジェクタ連結部３２はアーム連結部３１に対して左右方向にスライド可能に構成される。具体的にはプロジェクタ連結部３２の前後面にスライド溝３２ａが形成されており、スライド溝３２ａを通ってアーム連結部３１の前後面にピン３１ａが挿入されている。
【００２２】
上下軸調整ネジ３３、前後軸調整ネジ３４、左右軸調整ネジ３５は、それぞれを回転させることにより、プロジェクタ連結部３２をアーム連結部３１に対して上下軸、前後軸、左右軸を中心として回転させることができる。即ち、上下軸調整ネジ３３、前後軸調整ネジ３４、左右軸調整ネジ３５によって、支持アーム２０に対するプロジェクタ１の姿勢を調整することができるのである。
【００２３】
次に、図５から図７を用いて、プロジェクタ支持装置１００における固定部材１０と支持アーム２０との連結方法について説明する。なお、図６及び図７においては説明の便宜上、支持アーム２０の基端部２１においてカバー板２３を取り外した状態で図示している。
【００２４】
上記の如く、支持アーム２０は固定部材１０に対して上下方向にスライド可能に配設されている。具体的には、ベース部材１１を構成する中央のベース板１１ａにおける上下面の間に、上下方向に軸心方向を向けた２本の支持軸１３・１３が互いに平行となるように配設される。また、支持アーム２０における基端部２１の後端部には、基端部２１を上下方向に貫通するガイド孔２１ｂ・２１ｂが開口される。そして、ガイド孔２１ｂ・２１ｂに支持軸１３・１３が挿通されることにより、基端部２１が支持軸１３・１３に沿って上下動可能となり、支持アーム２０が固定部材１０のベース部材１１に対してスライド可能とされる。
【００２５】
また、ベース板１１ａには、支持軸１３・１３の間に、支持軸１３・１３と平行となるように位置調節軸１４が配設される。位置調節軸１４は軸心を中心として回動可能とされ、その下端部に調節部１４ａが形成される。また、位置調節軸１４の上端部の外周面には雄ねじ部１４ｂが形成される。一方、支持アーム２０の基端部２１における後端中央部には、図６及び図７に示す如く位置調節軸１４を挿通可能なナット固定部２４が形成され、ナット固定部２４にはナット２５が固設される。ナット２５の内周面には雌ねじ部が形成されている。
【００２６】
そして、ナット２５の雌ねじ部に位置調節軸１４の雄ねじ部１４ｂが螺入される。このように構成したプロジェクタ支持装置１００において、使用者が位置調節軸１４の調節部１４ａを回動すると、ナット２５は位置調整軸１４の軸心方向である上下方向に移動する。これにより、支持アーム２０は固定部材１０において上下方向に移動する。即ち、作業者は位置調節軸１４を回動させることにより、支持アーム２０の固定部材１０における上下方向の位置を調節できるのである。
【００２７】
本実施形態に係るプロジェクタ支持装置１００においては上記の如く、支持アーム２０の基端部２１に支持軸１３・１３を挿通し、この支持軸１３・１３に沿って支持アーム２０を上下にスライドさせる構成としている。これにより、従来技術の如く支持アーム２０の基端部に箱型部材を設ける必要がないため、支持アーム２０及びプロジェクタ支持装置１００を軽量化することが可能となる。
【００２８】
また、プロジェクタ支持装置１００は従来技術の如く板状部材がスライドする幅を確保する必要がないため、支持アーム２０の基端部２１の上下幅を小さくすることができ、装置全体を上下方向にコンパクト化することが可能となる。加えて、支持アーム２０の基端部２１において従来技術の如く箱型部材を溶接する必要がないため、支持アーム２０と固定部材１０との間でガタを生じ難くすることができる。
【００２９】
また、本実施形態においては、支持軸１３・１３は互いに平行となるように２本配設され、位置調節軸１４は、２本の支持軸１３・１３の間に配設される。これにより、支持アーム２０を上下にスライドさせる際に支持軸１３・１３に加わる力を均等にすることができるため、支持アーム２０を安定して移動させることができる。なお、支持軸１３を１本のみ配設する構成も、３本以上配設する構成も可能である。
【００３０】
また、本実施形態において、固定部材１０は、支持アーム２０が突出する側である前側を被覆するカバー部材１２を備え、カバー部材１２には開口部１２ｈが形成されている。そして、支持アーム２０は開口部１２ｈから突出するように配設される。また、図５に示す如く、支持アーム２０の基端部２１には、開口部１２ｈを内側から塞ぐカバー板２３が配設される。これにより、支持アーム２０が固定部材１０において上側に位置する場合でも、開口部１２ｈを通して内部の構造が見えることを防止でき、プロジェクタ支持装置１００の意匠性を向上させることができる。
【符号の説明】
【００３１】
１      プロジェクタ
２      取付面
１０      固定部材
１３      支持軸
１４      位置調節軸
２０      支持アーム
２１      基端部
２１ｂ    ガイド孔
３０      連結部材
１００    プロジェクタ支持装置
【図１】
0006620410.tif 000002
【図２】
0006620410.tif 000003
【図３】
0006620410.tif 000004
【図４】
0006620410.tif 000005
【図５】
0006620410.tif 000006
【図６】
0006620410.tif 000007
【図７】
0006620410.tif 000008